(57)【要約】【課題】接着剤に有効成分を添加することにより、おむつかぶれ等のかぶれ抑制効果に優れ、経済性の面で問題の無い吸水性物品を提供する。【解決手段】液透過性表面シートと、液不透過性裏面シートと、これら両シートの間に配置された液吸収体とを構成要素とし、液吸収体と該表面シートまたは裏面シートとの間がホットメルト接着剤で結合された吸水性物品において、該ホットメルト接着剤がユーカリ抽出物を含有することを特徴とする吸水性物品。ユーカリ抽出物がホットメルト接着剤中に０．００１〜１．０質量％含有されることが好ましい。【選択図】　　なし【特許請求の範囲】
【請求項１】
液透過性表面シートと、液不透過性裏面シートと、これら両シートの間に配置された液吸収体とを構成要素とし、液吸収体と該表面シートまたは裏面シートとの間がホットメルト接着剤で結合された吸水性物品において、該ホットメルト接着剤がユーカリ抽出物を含有することを特徴とする吸水性物品。
【請求項２】
吸水性物品が紙おむつであることを特徴とする請求項１記載の吸水性物品。
【請求項３】
ユーカリ抽出物がホットメルト接着剤中に０．００１〜１．０質量％含有されることを特徴とする吸水性物品。
【発明の詳細な説明】
【０００１】
【発明の属する技術分野】
本発明は、紙おむつ、尿取りパッド、生理用ナプキン等の吸水性物品に関する。
【０００２】
【従来の技術】
吸水性物品は、紙おむつ、尿取りパッド、生理用ナプキン等に排泄物等に含まれる水分を吸収する目的で使用されている。しかし、排泄物中に含まれる尿と便が混合することによるｐＨの上昇や、尿、便などに含まれるトリプシンやリパーゼ等の酵素の作用により、おむつかぶれ等の皮膚炎が生じたり、微生物の作用により悪臭が発生したりするため、問題となっている。
従って、吸水性物品に使用される接着剤に例えば、おむつかぶれ抑制効果を持つ成分を付加させ、おむつかぶれ抑制効果を吸水性物品に維持させることができれば、上記問題を予防、軽減することが可能であると考えられる。又、吸水性物品に含有させる成分は人体の皮膚に接触するため、安全性の高いものが望まれている。
衛生材料に使用される接着剤にかぶれ抑制効果のある成分を含有させた例としては、有機酸、酸性塩（ｐＨを酸性に保つ作用）を添加したホットメルト接着剤が報告されている（特開平１１−１１６９２０公報）。しかし、おむつかぶれには、便中に含まれるトリプシンやリパーゼ等の酵素が直接的に関与しており、これらの酵素を阻害する成分を吸収体物品に使用される接着剤に含有させることにより、さらにおむつかぶれ防止効果を高めることができるものと考えられる。このような効果をもつものはまだ知られていない。
【０００３】
【発明が解決しようとする課題】
そこで本発明の課題は、接着剤に有効成分を添加することにより、おむつかぶれ等のかぶれ抑制効果に優れ、経済性の面で問題の無い吸水性物品を提供することにある。
【０００４】
【課題を解決するための手段】
上記課題を解決するため、本発明は以下の構成を採用する。即ち、本発明は、「液透過性表面シートと、液不透過性裏面シートと、これら両シートの間に配置された液吸収体とを構成要素とし、液吸収体と該表面シートまたは裏面シートとの間がホットメルト接着剤で結合された吸水性物品において、該ホットメルト接着剤がユーカリ抽出物を含有することを特徴とする吸水性物品」である。
【０００５】
本発明者らは、前記課題を解決する為に鋭意検討した結果、ユーカリ抽出物を特定量含有した接着剤を使用した吸水性物品は、おむつかぶれ防止効果に優れることを見出し、本発明に至った。
【０００６】
【発明の実施の形態】
以下、本発明の構成について詳述する。本発明で使用するユーカリ抽出物の原料としては、フトモモ科ユーカリ属植物であれば特に限定されないが、Ｅ．　ｇｌｏｂｕｌｕｓ、Ｅ．　ｖｉｍｉｎａｌｉｓ、Ｅ．　ｃａｍａｌｄｕｌｅｎｓｉｓ、Ｅ．　ｇｒａｎｄｉｓ、Ｅ．　ｎｉｔｅｎｓから選ばれることが好ましい。又、ユーカリ属植物としては、単独或いは２種以上を組み合わせて用いることができる。ユーカリ抽出物の製造に用いる植物体の部位としては、特に限定されないが、採取が容易な枝葉が好ましく、特に葉が好ましい。
【０００７】
本発明に記載するユーカリ抽出物とは、ユーカリの葉、枝などを極性溶媒で抽出して得られる抽出物である。抽出に使用する極性溶媒としては、アルコール類、グリコール類、ケトン類、エステル類、エーテル類、ハロゲン化炭素類等が挙げられる。低級アルコール類としては、エタノール、メタノール、プロパノール等が挙げられる。グリコール類としては、エチレングリコール、ジエチレングリコール、ブチレングリコール及びプロピレングリコール等が挙げられる。ケトン類としては、アセトン、メチルエチルケトン、エステル類としては、酢酸エチル、酢酸プロピル、ギ酸エチル等が挙げられる。これらの溶媒は単独或いは水溶液として用いても良く、又、任意の２種または３種以上の混合溶媒として用いても良い。上記溶媒の中では、エタノール、ブチレングリコール、プロピレングリコールが更に好ましい。
【０００８】
ユーカリ抽出物の抽出方法としては、例えば、ユーカリ属植物葉を抽出溶媒に浸漬する方法、溶媒の沸点以下の温度で加温、撹拌しながら抽出を行い、濾過して抽出物を得る方法が挙げられる。抽出に使用する葉は、乾燥葉でも水分を含んでいても良いが、効果の高い抽出物を得るためには、乾燥葉を用いるのが望ましい。又、葉を適当な大きさに粉砕したり、粉末化するなど、溶媒抽出し易いように前処理を行っても良い。又、抽出物の臭い、色などを軽減するために、抽出溶媒に浸漬する前に葉を例えば、水洗い、熱水に浸漬する等の前処理を行っても良い。
【０００９】
上記抽出操作中、かぶれ抑制効果のより高いユーカリ抽出物を得るには、ユーカリ葉を直接、低級アルコール類またはグリコール類で抽出する方法が望ましい。低級アルコール類としてはエタノールが望ましく、又、グリコール類としては、ブチレングリコール、プロピレングリコールが望ましい。
【００１０】
又、ユーカリ葉を乾燥後、非極性有機溶媒で脱脂し、精油を除去してから低級アルコール又はグリコール類で抽出することもできる。この操作は、水蒸気蒸留により精油を除去した後、残渣に低級アルコール又はグリコール類を添加して抽出する方法で行うことも出来る。前記非極性溶媒としては、ヘキサン、ペンタン、ヘプタン等のアルカン類が挙げられる。
【００１１】
ユーカリ抽出物は、そのままでも使用することが出来るが、抽出物を、適当な吸着剤や包接剤を用いて、色や臭いを除去後、使用することも出来る。吸着剤としては、活性炭、セライト、シリカゲル、けいそう土及びゼオライト等が挙げられる。包接剤としては、サイクロデキストリン、セルロース等が挙げられる。
【００１２】
また、得られたユーカリ抽出物を更に、適当な分離手段、例えば分配抽出、ゲル濾過法、シリカゲルクロマト法又は逆相若しくは順相の高速液体クロマト法により効果の高い画分を分画して使用することも出来る。
【００１３】
上記操作により、得られるユーカリ抽出物は、水と低級アルコールの混合溶媒、又は、水とブチレングリコールの混合溶媒に溶解して使用することが好ましい。
【００１４】
本発明に用いるユーカリ抽出物は、おむつかぶれに関与する酵素であるトリプシン、ウレアーゼ等に対して阻害活性を持つことが好ましい。
【００１５】
上記で得られた、ユーカリ抽出物、又はユーカリ抽出物を含む組成物をおむつ、尿取りパッド、生理用ナプキン等の素材としての吸水性物品の製造に使用される接着剤中に含有させることにより、本発明における吸水性物品を得ることができる。
【００１６】
本発明の吸水性物品を素材とするおむつを用いることにより、尿、便中に含まれる酵素、有害成分等によるおむつかぶれの予防・軽減が可能となる。
【００１７】
以下に、おむつの素材として使用される吸水性物品の具体的な製造方法について記述するが、特にこれに限定されるものではない。
【００１８】
吸水性物品としては、液透過性の表面シート（肌に直接触する面）と液不透過性の裏面シート（肌とは接触しない面）と、これらの間に設けられている液吸収体から構成され、おむつとする際には、テープ（固定用テープ）、ギャザー（伸縮性の素材部分）など必要な要素を付加する。
【００１９】
液透過性表面シート：
本発明において使用される液透過性表面シートは、坪量が１０〜４０ｇ／ｍ２で、構成繊維の繊維径が４デニール以下の親水性繊維からなる、液透過性の不織布、織布等が用いられる。さらに、詳しくは、ポリプロピレン、ポリエチレン、ポリエステル、または、ポリエステル、ポリプロピレン、ポリエチレン等の２成分以上からなる複合繊維等でも良く、特には、低融点ポリエステル／ポリエステル、ポリエステル／ポリエチレン、ポリプロピレン／ポリエチレンの複合繊維が強度の面から好ましいが、特に制限をうけるものではない。
【００２０】
液吸収体：
本発明において使用される液吸収体は、綿状パルプ、レーヨン繊維等の液吸収性繊維により構成された液吸収体であり、水を多量に吸収できるものである。該吸収体には高吸収性ポリマーを含有させることが好ましい。さらに全体を親水性シ−トによりくるんでも良い。また、吸収性繊維に対して３〜６０質量％の熱融着性物質を混合して熱圧着してもよい。以下、綿状パルプを例に説明する。
前記吸収体の構成は特に制限されるものではないが、例えば、綿状パルプを主成分とする単独層でも良く、綿状パルプに高吸収性ポリマーを均一に混合した層状のものでも良く、或いは綿状パルプを主成分とする２つの層の間に高吸収性ポリマーからなる均一な層を挟み込んだ構成であっても良い。
綿状パルプとしては、化学パルプシートもしくは、機械パルプシートを粉砕機で解繊することにより得られる繊維長５ｍｍ以下のものである。パルプ原料としては、針葉樹に限らず、広葉樹、わら、竹およびケフナも適用される。このパルプの使用量は、目的とする吸収体により、例えば、単独で用いるか、複数積層して用いるか、他の吸収材を併用するかなどにより異なるが、一般的には、５０〜４００ｇ／ｍ２にされる。
また、高吸水性ポリマーの粒子あるいは繊維単独で液吸収体を構成することも可能である。
【００２１】
高吸収性ポリマーとしては、デンプン系、セルロース系、合成ポリマー系のもの等が挙げられる。すなわち、デンプン−アクリル酸（塩）グラフト共重合体、デンプン−アクリル酸エチルグラフト共重合体のケン化物、デンプン−メタクル酸メチルグラフト共重合体のケン化物、デンプン−アクリロニトリルグラフト共重合体のケン化物、デンプン−アクリルアミドグラフト共重合体のケン化物、アクリル酸（塩）重合体、アクリル酸で架橋されたポリエチレンオキシド、ナトリウムカルボキシメチルセルローズの架橋物、ポリビニールアルコール−無水マレイン酸反応物の架橋物などが使用できるが、この中で自重の２０倍以上の尿、体液及び水を吸収するもので、ポリアクリル酸ナトリウム系のものが吸収性能の点から最も適当である。高吸収性ポリマーの分布量は、綿状パルプの乾燥状態で全質量の１０〜５００％、好ましくは１５〜３００％であり、かかる量の高吸収性ポリマーが綿状パルプ中に実質的に均一に分布していると、高吸収性ポリマーが吸収し膨潤したとき、その粒子は相互の干渉が最小にとどめられ、連続的に接触して透過障壁を形成することが少なく、尿や体液を３次元方向に透過、吸収する。
【００２２】
また、熱融着性物質としては、綿状パルプと混合することを考えると繊維状のものが好ましい。熱融着性物質は、ポリプロピレン、ポリエチレン、ポリエステル、ポリビニリデン、アクリル樹脂、ナイロン樹脂等があげられる。または、ポリエステル、ポリプロピレン、ポリエチレン等の２成分以上からなる複合繊維等でも良く、特には、ポリエステル／ポリエステル、ポリエステル／ポリエチレン、ポリプロピレン／ポリエチレンの複合繊維が強度の面から好ましい。繊維径は１〜５デニール程度が好ましく、繊維長は３〜３０ｍｍのものが、綿状パルプと混合するのに好適であるが、特に制限をうけるものではない。これらを綿状パルプ層に混合し、一定以上の圧力で熱圧着することによって、熱融着性物質による骨格構造を形成し、湿潤時においても綿状パルプ層自体の強度を持つことが可能となる。熱圧着の方法は、熱プレスロール、熱風乾燥機、マイクロ波加熱機、赤外線ヒーター等、特に限られていないが、マット層に均一に熱が伝わり、熱融着性物質が融けて骨格構造を形成することが出来れば良い。
【００２３】
親水性シートは、例えば、ティシュ、吸収紙、親水性不織布等、親水性のシートであれば良い。
吸収体の圧縮方法として、周面が平滑なロールなどにより、吸収体の密度がその全体にわたり実質的に均等になるように連続する面状であってもよいし、周面が凹凸状であるロールなどにより、吸収体の密度が部分的に異なり、尿や体液を縦方向及び斜め方向に導く模様配列のエンボスであってもよい。エンボスの場合、圧縮部、非圧縮部は、連続、非連続のいずれであってもよい。
【００２４】
液不透過性裏面シート：
本発明において使用される液不透過性裏面シートは、薄く、液不透過性のプラスティックフィルムのウェブまたはシートからなる。プラスティックは、例えばポリエチレン、ポリプロピレン、ポリビニルクロライド、またはこれらと同様の材料や、ポリビニルアルコールをベースとするフィルムのウェブまたはシートなどの材料から形成することができる。バックシート材料は透明でも不透明でも良く、またエンボス加工した表面を有するようにすることもできる。また、ほぼ液不透過性になるようにつくられた不織布の繊維ウェブからつくることもできる。さらに、前記液不透過性のプラスティックのウェブまたはシートに、ポリエチレン、ポリプロピレン、ポリエステル等の熱可塑性樹脂からなる不織布、織布、伸縮性不織布、或いは、ポリエチレン、ポリウレタン等のフィルムを貼合しても良い。
【００２５】
表面シートまたは裏面シートと液吸収体との接着は、超音波、高周波、熱圧着によるヒートシールや熱エンボスロールによる溶融接着や、ホットメルト接着剤によって接着することができるが、本発明においては、少なくとも一方は、ホットメルト接着剤で接着する。接着する部位は吸水性高分子の付着パターンを避けて、吸収シートの外周や、筋状、千鳥格子状パターンにしてもよい。
【００２６】
高吸水性ポリマーの粒子あるいは繊維単独で液吸収体を構成する場合には、吸水性高分子をホットメルト接着剤で基材に固定する必要があり、そのため、まず基材に反応型ホットメルト接着剤を前記方法にて塗工し、その面上に吸水性高分子を散布し、過剰にシート上に乗った吸水性高分子を振動、風力などで除去すればよい。
【００２７】
本発明の吸水性物品は、パルプなど吸液速度が早い吸収物品と重ねて使用しても良い。パルプとしては、化学パルプ、機械パルプもしくは古紙パルプのシートを粉砕機で解繊することにより得られるものが使用出来る。パルプ原料としては、針葉樹に限らず、広葉樹、麻、わら、竹及びケナフ等の非木材パルプを用いることもできる。
【００２８】
本発明に用いる吸水性物品に使用されるホットメルト接着剤としては、特に制限されないが、例えば、水分で硬化する湿気硬化型ウレタンプレポリマーを主成分とする接着剤が挙げれる。主成分となるウレタンプレポリマーは、ポリイソシアネート化合物（ジフェニルメタンジイソシアネート、ジメチルジフェニルメタンジイソシアネート、シクロヘキシルメタンジイソシアネート、トリレンジイソシアネート、ヘキサメチレンジイソシアネート、キシリレンジイソシアネート、ｐ−フェニレンジイソシアネートなど）の１種類又は２種類以上を、設定する物性値が得られるように適宜選択すると共に配合比を決定して、これらを６０〜１３０℃の加熱下で数時間反応させて得ることができる。
【００２９】
ホットメルト接着剤は、例えば、熱可塑性ポリマー（ポリウレタン、エチレン系共重合体、プロピレン系共重合体、塩化ビニル系共重合体、各種ゴム、アクリル系共重合体など）、タッキファイヤー樹脂（クマロンインデン樹脂、ケトン樹脂、変性スチレン樹脂、テルペン樹脂、変性テルペン樹脂、水添石油樹脂、キシレン樹脂、エポキシ樹脂、各種エステル化ロジンなど）、可塑剤（ジオクチルフタレート、ブチルベンジルフタレート、アルキル多環芳香族炭化水素類、塩素化パラフィンなど）、充填剤（炭酸カルシウム、クレー、タルクなど）、顔料、触媒（ジブチルチンジラウレート、ジブチルチンジオクテート、ジメチルベンジルアミンなど）、密着性付与剤、紫外線吸収剤等を配合した系で構成される。
【００３０】
本発明において、ユーカリ抽出物の上記接着剤中への添加量は、接着剤の重量に対して、０．００１〜１．０質量％が好ましく、０．０１〜０．５％含有させることがより好ましい。０．００１％未満になると、おむつかぶれ抑制効果が明確に発揮されず、添加量が１．０質量％を越えるとユーカリ抽出物の臭いが影響し、又、製造コストの面で好ましくない。
【００３１】
本発明の吸水性物品の作製方法としては、例えば、基材と基材の間、基材と吸水性高分子の間に、ユーカリ抽出物を含む接着剤を添加し、塗工などの方法によって基材と基材、基材と吸水性高分子を接着することにより作製することができる。
【００３２】
前記ホットメルト接着剤の塗布方法は、通常の方法で良く、カーテン塗工、スパイラル塗工、シム塗工、ビード塗工などがあげられる。塗工パターンは全面、筋状、千鳥格子状などのいずれでもよい。前記ホットメルト接着剤は空気中の水分で硬化するので、ホットメルトタンク内は窒素や炭酸ガスなどの不活性ガスで置換する必要がある。また、ホットメルトを塗工するガンの付近はガスが発生するために局所排気をするなど換気設備が必要となる。
【００３３】
本発明の液吸収体あるいは表面シートには、本発明の効果を損なわない範囲で、医薬品、医薬部外品、化粧品等に一般的に用いられる各種成分、保湿剤、酸度調節剤、安定化剤、界面活性剤、抗酸化剤、消臭剤、抗菌剤、防黴剤等に用いられている成分を配合することができ、これらの補助成分は２成分以上を配合しても良い。
【００３４】
医薬品、医薬部外品、化粧品等に一般的に用いられる各種成分としては、アレルギー抑制剤、アトピー性皮膚炎抑制剤、かゆみ抑制剤、肌荒れ抑制剤、低級アルコール、多価アルコール、香料、清涼剤、動植物性多糖類及びその分解物、動植物性糖蛋白質及びその分解物、微生物培養代謝成分、アミノ酸及びその塩、脱臭剤、乳化剤等と共に配合し、併用して用いることができる。
【００３５】
保湿剤としては、アロエエキス、延命草エキス、オトギリソウエキス、オオムギエキス、オレンジエキス、海藻エキス、カミツレエキス、キューカンバエキス、コンフリーエキス、ゴボウエキス、シイタケエキス、ジオウエキス、シソエキス、セージエキス、デュークエキス、冬虫夏草エキス、ドクダミエキス、ハタケシメジエキス、ビワエキス、ブドウ葉エキス、フユボダイジュエキス、プルーンエキス、ヘチマエキス、ボタンピエキス、マイカイエキス、モモノハエキス、ユリエキス、リンゴエキス、アーモンド油、オリーブ油、ゴマ油、サフラワー油、ジメチルシリコーン、シリコーン油、変性シリコーン、大豆油、椿油、ヒマシ油、ホホバ油、ミンク油、ヤシ油、ラノリン、アラビノース、ガラクトース、キシロース、グルコース、ショ糖、ソルビトール、フルクトース、マルトース、マルチトール、マンノース、ミツロウ、ヒアルロン酸、プラセンタエキス、ラムノース、キシロビオース、キシロオリゴ糖、チューベローズポリサッカライド、トリサッカライド、トレハロース、可溶性コラーゲン、グリチルリチン、コンドロイチン硫酸、ジグリセリン、スクワラン、セラミド類似化合物、トリグリセリン、尿素、ビタミンＣリン酸エステルカルシウム塩、ビタミンＥ、ピロリドンカルボン酸ナトリウム、ヒノキチオール、流動パラフィン、ワセリン、多価アルコール等が挙げられる。
【００３６】
これらの保湿剤のうち、アロエエキス、延命草エキス、オトギリソウエキス、コンフリーエキス、シソエキス、セージエキス、セラミド類似化合物、ドクダミエキス、ハタケシメジエキス、ビワエキス、フユボダイジュエキス、ボタンピエキス、ヒマシ油、ホホバ油、ラノリン、ヒアルロン酸、プラセンターエキス、ラムノース、キシロオリゴ糖、可溶性コラーゲン、グリセリン、コンドロイチン硫酸、スクワラン、尿素、多価アルコールが肌に対する保湿効果が高く、より好ましく使用できる。多価アルコールとしては、エチレングリコール、グリセリン、１，３−ブチレングリコール、プロピレングリコール等が好ましい。
中でも、アロエエキス、キシロオリゴ糖、セラミド類似化合物、ハタケシメジエキス、尿素、１，３−ブチレングリコール及びプロピレングリコールが特に好ましい。
これらの保湿剤は、効果の点から、薬液中で１〜１２質量％の範囲とすることが好ましい。
【００３７】
酸度調節剤及び機能の安定化剤としては、例えば、アジピン酸、クエン酸、クエン酸三ナトリウム、グリシン、グリセリン脂肪酸エステル、グルコノデルタラクトン、グルコン酸、コハク酸、コハク酸一ナトリウム、コハク酸二ナトリウム、酢酸、酢酸ナトリウム、ＤＬ−酒石酸、Ｌ−酒石酸、ＤＬ−酒石酸ナトリウム、Ｌ−酒石酸ナトリウム、炭酸塩類、二酸化炭素、乳酸、乳酸ナトリウム、フマル酸、フマル酸一ナトリウム、リゾチーム、ＤＬ−リンゴ酸、ＤＬ−リンゴ酸ナトリウム、リン酸、リン酸塩類、重合リン酸塩類、イタコン酸、フィチン酸等が挙げられる。
【００３８】
界面活性剤としては例えば、モノステアリン酸グリセロール、トリオレイン酸ポリグリセロール等のグリセリン脂肪酸エステル、有機酸モノグリセリド、プロピレングリコール脂肪酸エステル、ソルビタン脂肪酸エステル、ショ糖脂肪酸エステル、レシチン、リゾレシチン、ポリエチレングリコール、ポリオキシアルキルエーテル、ポリオキシエチレンポリアミン、アルキルポリオキシエチレン硫酸エステル塩、アルキル硫酸エステル塩、アシルメチルタウリン塩、Ｎ−アシルグルタミン酸塩、アルキルアミドベタイン等が挙げられる。
【００３９】
抗酸化剤としてはカテキン、トコフェロール、プロポリス、エラグ酸、植物抽出物（セージ、セリ、ローズマリー等）が挙げられる。
【００４０】
消臭剤としては、消臭活性がある物質、抽出物であれば特に制限はなく、例えば、植物・キノコ等の抽出物、精油等が挙げられる。
【００４１】
抗菌剤としては、抗菌活性がある物質、抽出物であれば特に制限はなく、例えば、ヒノキチオール、トリクロサン、塩化セチルピリジニウム、グルコン酸クロルヘキシジン等が挙げられる。
【００４２】
防黴剤としては、ソルビン酸カリウム、ソルビン酸、安息香酸ナトリウム、安息香酸、パラオキシ安息香酸エチル、バラオキシ安息香酸メチル、パラオキシ安息香酸プロピル等のパラオキシ安息香酸類、動物・植物抽出物、精油等が挙げられる。
【００４３】
前記構成を有する本発明の吸水性物品は、おむつかぶれ抑制効果が高く赤ちゃん用、大人用などのおむつなどの衛材関連の用途に使用することができる。
【００４４】
【実施例】
以下、実施例により本発明を具体的に説明するが、これらの実施例は例示的であり、本発明の範囲は請求項の範囲に規定される。
【００４５】
＜製造例１＞
ユーカリ（Ｅｕｃａｌｙｐｔｕｓ　ｇｌｏｂｕｌｕｓ）の葉５０ｇを５０％エタノール（７００ｍｌ）で３日間、室温で抽出を行い、抽出液を得た。ユーカリ抽出物の濃度は１．９６質量％であった。この液を濃縮して溶媒を除去した後、アセトンで希釈し、ユーカリ抽出物の濃度が２０質量％となるように調節した。これをユーカリ２０％液と称する。
【００４６】
＜実施例１＞
結晶性ポリエステルポリオール系ウレタンプレポリマーを主成分とする反応型ホットメルト接着剤〔ニッタイトＡＲＸ−９００１（新田ゼラチン株式会社製）、ＮＣＯ基２．６９質量％、粘度５０００ｍＰａ・ｓ／１２０℃、軟化点６５℃〕にユーカリ２０％液を接着剤中のユーカリ抽出物固形分濃度が１．０％（最終濃度）となるように添加し、均一に混合し、溶媒を減圧除去した。
次に、裏面シートとしてポリプロピレンのスパンボンド２５ｇ／ｍ２を使用し、その上に、カーテン塗工にて上記で得られたユーカリ抽出物を含むホットメルト接着剤を２０ｇ／ｍ２塗工し、その上にアクリル酸−アクリル酸ソーダ共重合体からなる吸水性高分子〔アクアキープＳＡ−６０Ｓ（住友精化製）、平均粒子径３００〜５００μｍ〕を散布した後、振動を与えて過剰な吸水性高分子を取り除き、温度２５℃で９６時間ホットメルト接着剤をキュアし、吸水性物品を得た。吸水性高分子の固定量は１９０ｇ／ｍ２であった。
その上に下記の表面シートを前記ホットメルト接着剤で線状に部分接着し、吸水性物品を作成し、更に市販の紙おむつと同様の形態のおむつを形成した。なお、線状接着した接着剤の使用量は米坪換算では１０ｇ／ｍ２であった。
液透過性表面シート：
ポリエステル／ポリエチレンからなる芯／鞘型の複合繊維を親水化処理した繊維であり、円形断面の繊維径２デニール、繊維長５１ｍｍの繊維を湿式不織法により坪量２５ｇ／ｍ２、密度０．０４２である液透過性表面シートを作成した。
【００４７】
＜実施例２＞
実施例１と同様の方法で、ホットメルト接着剤のユーカリ抽出物の固形分濃度を０．１０％（最終濃度）とし吸水性物品を作製した。
【００４８】
＜実施例３＞
実施例１と同様の方法で、ホットメルト接着剤のユーカリ抽出物の固形分濃度を０．０１％（最終濃度）とし吸水性物品を作製した。
【００４９】
＜実施例４＞
実施例１と同様の方法で、ホットメルト接着剤のユーカリ抽出物の固形分濃度を０．００１％（最終濃度）とし吸水性物品を作製した。
【００５０】
＜比較例１＞
実施例１と同様の方法で、ホットメルト接着剤にユーカリ抽出物を含まない吸水性物品を作製した。
【００５１】
上記実施例１〜４、比較例１で作製した使いすておむつについて、以下の要領でユーザーテストを行った。
【００５２】
ユーザーのグループ分け：
おむつ使用中の赤ちゃん４５０名（平均月齢１８ヶ月）を無作為に各々５０名ずつ９のグループに分けた。
【００５３】
グループ毎の使用おむつ：
各グループ別に１人２種類ずつの使いすておむつ（Ａ、Ｂ）を配布した。
グループ　１　　おむつＡ：比較例１、おむつＢ：比較例１
グループ　２　　おむつＡ：実施例１、おむつＢ：比較例１
グループ　３　　おむつＡ：比較例１、おむつＢ：実施例１
グループ　４　　おむつＡ：実施例２、おむつＢ：比較例１
グループ　５　　おむつＡ：比較例１、おむつＢ：実施例２
グループ　６　　おむつＡ：実施例３、おむつＢ：比較例１
グループ　７　　おむつＡ：比較例１、おむつＢ：実施例３
グループ　８　　おむつＡ：実施例４、おむつＢ：比較例１
グループ　９　　おむつＡ：比較例１、おむつＢ：実施例４
【００５４】
比較テスト方法：
各々、おむつＡ、おむつＢの順序でそれぞれ１０日間ずつおむつを使用してもらい、母親におむつかぶれの起こりやすさについて比較回答を得た。その結果を表１に示す。おむつＡとおむつＢとの比較でかぶれにくいと判断した人の数の比が２倍以上認められた場合、使用感に差があると判断した。又、かぶれにくいと判断した人の数がどちらも変わらないとした人の数を上回った場合はかぶれに対する効果が十分に現れていると判断した。グループ１ではおむつＡ、おむつＢ間においてかぶれにくさにおける明確な差は見られなかった。グループ２〜グループ９ではグループ間で多少の差があるものの、いずれのグループにおいても実施例１〜４のおむつの方がかぶれにくいと評価された。以上の結果から、ユーカリ抽出物を０．００１〜１．０質量％含有させたホットメルト接着剤を使用したおむつでは、おむつかぶれの発生が抑制される効果が確認された。
【００５５】
【表１】
2004065769.tif 000002
【００５６】
【発明の効果】
本発明で得られるユーカリ抽出物を含有する接着剤を使用した吸水性物品は、おむつかぶれ抑制効果に優れ、紙おむつの素材である使い捨て吸水性物品として使用した場合、おむつかぶれに対して有効である。